(57)【要約】【課題】  裁断片の巻上がりを防止し、さらに、この裁断片による紙葉類の誤計数を防止することによって紙葉類の枚数を正確に計数する紙葉類裁断装置を提供する。【解決手段】  紙葉類計数部６０Ａの第１の搬送路２５Ａによる前記紙葉類Ｐの搬送方向を所定角度屈曲するため搬送方向屈曲ローラ６３Ｂによって、紙葉類Ｐを計数するセンサＳＣ１が裁断片によって誤動作するのが防止できる。また、ガイド板６４Ａ、６４Ｂの先端を送りローラ６３Ｄ、６３Ｅの接触面より搬送方向下流に突出した構造にすることによって紙葉類Ｐを送りローラ６３Ｄ、６３Ｅから剥離することができる。さらに、紙葉類裁断部６０Ｂの裁断刃６５Ａ、６５Ｂにエアーノズル６６Ａ、６６Ｂから吹き付けたエアーによる裁断片の巻上がり防止のために前記裁断刃６５Ａ、６５Ｂの上部にエアー吸い込み口６７Ａを配置し、排出するエアーの流れを形成する。【選択図】  図２
2005177617.tif 000002
【特許請求の範囲】
【請求項１】
搬送される紙葉類を取り込み、計数する紙葉類計数部と、この紙葉類計数部にて係数された前記紙葉類を裁断する紙葉類裁断部とを具備した紙葉類裁断装置であって、
前記紙葉類計数部は、
搬送される前記紙葉類を取り込み搬送する第１の搬送手段と、この第１の搬送手段によって搬送される前記紙葉類を計数する計数手段と、この計数手段の搬送方向下流に配置され、前記第１の搬送手段により搬送されてきた前記紙葉類の搬送方向を所定角度屈曲し搬送する搬送方向屈曲手段と、この搬送方向屈曲手段より搬送されてきた前記紙葉類を取り込み搬送する第２の搬送手段と、この第２の搬送手段の前記紙葉類を前記紙葉類裁断部に供給するために前記第２の搬送手段を挟んで前記第２の搬送手段に平行に配置したガイド板と、このガイド板と一体に構成して、前記紙葉類を挟持して前記紙葉類裁断部に送り出す１対の送りローラとを備え、
前記紙葉類裁断部は、
前記送りローラによって送り出された前記紙葉類を裁断する裁断刃と、前記裁断刃にエアーを吹きかけるエアーノズルと、このエアーノズルから放出されたエアー、又は前記裁断刃により裁断された裁断片を排出するためにエアーノズルの下部に配置した裁断片排出口と、前記エアーノズルから前記裁断刃にエアーを吹きかけ、前記裁断刃によって裁断された裁断片とこの裁断刃に付着した裁断片を吹き払ってできた裁断片を前記裁断片排出口に導くためのエアーの流れを形成するために前記裁断刃の上部に配置したエアー吸い込み口とを備えたことを特徴とする紙葉類裁断装置。
【請求項２】
前記計数手段は、
搬送される前記紙葉類を透過光又は反射光を検出することにより１枚毎に計数するセンサを有することを特徴とする請求項１記載の紙葉類裁断装置。
【請求項３】
前記搬送方向屈曲手段は、
前記第１の搬送手段と前記第２の搬送手段とを接続するための搬送方向屈曲ローラを有し、
前記第１の搬送手段から前記第２の搬送手段に屈曲するための前記所定角度は、前記ガイド板の搬送路上の概略中心位置と前記計数手段の搬送路上の概略中心位置を結ぶ直線が前記搬送方向屈曲ローラに交差する程度に設定することを特徴とする前記請求項１記載の紙葉類裁断装置。
【請求項４】
前記ガイド板は、
前記第２の搬送手段の搬送方向下流側の先端を前記１対の送りローラ同士の接触面より搬送方向下流側に突出させて配置したことを特徴とする請求項１記載の紙葉類裁断装置。
【請求項５】
前記裁断刃は、
円周面に突起状の刃を有する円盤状刃が中心軸のシャフトに複数枚一定間隔で配置されて構成された第１の裁断刃と、この第１の裁断刃と同様に構成された第２の裁断刃の互いの円盤状刃の個々の側面が互いに接触するように噛み合わさって構成され、前記第１の裁断刃と前記第２の裁断刃が前記紙葉類計数部から排出される前記紙葉類を取り込む方向に互いに逆回転することを特徴とする請求項１記載の紙葉類裁断装置。
【発明の詳細な説明】
【技術分野】
【０００１】
本発明は、銀行券などの紙葉類を裁断する紙葉類裁断装置に関する。
【背景技術】
【０００２】
銀行券などの紙葉類は、長期間流通して古くなった場合、又は切れ、破れ、落書き、テープ張り付きなどの場合は損券として区分され、紙葉類裁断装置で裁断される。この紙葉類裁断装置は、紙葉類処理装置に内蔵されてオンラインで使用される場合と、オフラインで単独に使用される場合がある（例えば、特許文献１参照。）。
【０００３】
オンラインで使用される場合、上記紙葉類処理装置によって紙葉類の真偽、正損判別が行われる。その判別結果が損券の紙葉類は、上記紙葉類処理装置で処理される搬送速度で上記紙葉類裁断機に供給される。なお、正券の紙葉類は、当該正券の紙葉類を集積部毎に区分して集積し、集積した紙葉類の枚数が１００枚に達する毎に紙帯で施封する（この１００枚毎に紙帯で施封された紙葉類を把と称す）。
【０００４】
一方、オフラインで使用される場合、上記オンラインで損券と判別された紙葉類を一時的にボックスに収納し、この収納された紙葉類を当該オフライン裁断装置で再鑑査して損券を裁断する場合、又は当該紙葉類裁断機に人手によって当該紙葉類を投入して裁断する場合がある。
【０００５】
しかし、この紙葉類裁断装置では、紙葉類を裁断したときの裁断片が飛び散り、裁断する紙葉類の枚数を計数するセンサを遮ってしまい、誤って係数されてしまうという問題があった。また、裁断片が裁断刃に付着し、紙葉類の裁断を妨げる場合があるという問題があった。
【特許文献１】特開２００２−１９２００２号公報  （第１頁、図１）
【発明の開示】
【発明が解決しようとする課題】
【０００６】
しかしながら、特許文献１記載の紙葉類の裁断装置では、紙葉類の投入部が開いており、当該紙葉類の裁断装置の投入部に紙葉類を計数して供給する上記オンラインで使用する場合、紙葉類の枚数を計数するセンサを裁断刃の近傍に配置すると紙葉類の裁断片が裁断する紙葉類の枚数を計数するセンサを遮ってしまうという問題があった。紙葉類の枚数を計数するセンサを裁断刃の近傍に配置する理由は、例えば、裁断刃と枚数を計数するセンサを離れて配置した場合、紙葉類裁断装置の内部で障害が発生して当該装置が停止し、内部に紙葉類が残留したとき、この残留した紙葉類は計数済みの紙葉類か、計数前の紙葉類かが判別できなくなる場合がある。そのために、紙葉類の枚数を計数するセンサは、可能な限り裁断刃の近傍で正確に計数する必要がある。
【０００７】
また、裁断片を下部の収納箱に収集するためのエアーが上部から吹き込むようにしてあるが、エアーの流れが形成されていないために裁断片が巻上がり、巻上がった裁断片が裁断刃に付着して切れにくくなるという問題があった。
【０００８】
本発明は上記問題を解決するためになされたもので、裁断片の巻き上がりを防止し、さらにこの裁断片が紙葉類の枚数を計数するセンサを遮ってしまうことを防止することによって、裁断する紙葉類の枚数をより精度良く計数することができる紙葉類裁断装置を提供することを目的とする。
【課題を解決するための手段】
【０００９】
上記目的を達成するために、本発明の紙葉類裁断装置は、搬送される紙葉類を取り込み、計数する紙葉類計数部と、この紙葉類計数部から放出された前記紙葉類を裁断する紙葉類裁断部からなる紙葉類を裁断する装置であって、前記紙葉類計数部は、搬送される前記紙葉類を取り込み搬送する第１の搬送路と、前記第１の搬送路によって搬送される前記紙葉類を計数する計数手段と、前記計数手段の搬送方向下流に配置され、前記第１の搬送路による前記紙葉類の搬送方向を所定角度屈曲するための搬送方向屈曲手段と、この搬送方向屈曲手段によって搬送方向が変換された第２の搬送路の前記紙葉類を紙葉類裁断部に供給するために前記第２の搬送路を挟んで前記第２の搬送路に平行に配置したガイド板と、このガイド板と一体に構成して、前記紙葉類を挟持して前記紙葉類裁断部に送り出す１対の送りローラとを備え、前記紙葉類裁断部は、前記送りローラによって送り出された前記紙葉類を裁断するための裁断刃と、前記裁断刃にエアーを吹きかけるためのエアーノズルと、このエアーノズルから放出されたエアーを排出するためにエアーノズルの下部に配置した裁断片排出口と、前記エアーノズルから前記裁断刃にエアーを吹きかけ、前記裁断刃によって裁断された裁断片とこの裁断刃に付着した裁断片を吹き払ってできた裁断片を前記裁断片排出口に導くためのエアーの流れを形成するために前記裁断刃の上部に配置したエアー吸い込み口とを備えたことを特徴とする。
【発明の効果】
【００１０】
本発明によれば、裁断片の巻上がりを防止し、さらにこの裁断片が紙葉類の枚数を計数するセンサを遮ることを防止できるため、裁断する紙葉類の枚数をより精度良く計数することができる。
【発明を実施するための最良の形態】
【００１１】
以下、図面を参照して本発明の実施例を説明する。
【実施例】
【００１２】
図１は、本発明の紙葉類裁断装置６０を搭載した紙葉類処理装置１の概略構成図である。図２は、紙葉類裁断装置６０の主要部分を示す正面図である。また、図３は、紙葉類裁断装置のガイド板及び送りローラの詳細図である。
【００１３】
図１を参照して紙葉類処理装置１の構成について説明する。紙葉類処理装置１は、紙幣などの紙葉類Ｐの真偽（真券か偽券か）又は正損（再流通可能な正券か再流通不可能な損券か）を判別し、正券は集積部毎に区分して集積して１００枚毎に紙帯で施封し、損券は紙葉類裁断装置で裁断し、裁断片を収納箱に収集する装置である。
【００１４】
上記紙葉類処理装置１は、一括して供給された紙葉類Ｐを１枚づつ取り出し一定の間隔で搬送路２０に供給する供給部１０が配置されている。この供給部１０から供給された紙葉類Ｐの判別を行う処理部５０乃至処理部５６Ｂが搬送方向下流にむかって配置されている。また、これら処理部５０乃至処理部５６Ｂの判別結果に基づいて正券と判別された紙葉類Ｐを集積する集積部３０、３１、損券と判別された紙葉類Ｐを裁断する紙葉類裁断装置６０、偽券又は排除券を集積する排除券集積部４０を有して構成されている。
【００１５】
処理部５０は、供給部１０から供給された紙葉類Ｐの搬送状態を検知し検知結果を制御部２に通知する。この搬送状態の検知結果が、例えば、複数枚取り、搬送位置ずれ、スキューなどの場合は、搬送方向下流に搬送して処理することが困難であるため、搬送異常を制御部２に通知する。制御部２は、この搬送異常の通知を受信し、当該紙葉類Ｐの搬送方向を振り分ける振り分けゲートＧ１を左に回動することによって当該紙葉類Ｐを搬送路２１に沿って搬送させ、さらに振り分けゲートＧ５を右に回動することによって排除券集積部４０に集積する。
【００１６】
処理部５１は、紙葉類Ｐの券種判別又は正損判別機能を有している。券種判別は、紙葉類Ｐが日本紙幣の場合は千円、２千円、５千円、万円からなる金種と搬送状態（正立／倒立、表／裏）を判別する。また、正損判別は紙葉類が正券か損券かを判別する。
【００１７】
処理部５３は、紙葉類Ｐの形状検知機能を有しており、紙葉類Ｐの長さ、幅、穴、破れなどを検知し検知結果を制御部２に通知する。当該紙葉類Ｐの長さ、幅が設定券種の設定値を超える場合は排除券となる。また、当該紙葉類Ｐの穴、破れ、切れなどが設定値を超える場合は損券となる。
【００１８】
処理部５４Ａ、５４Ｂは、紙葉類Ｐの磁気検知機能を有しており、紙葉類Ｐの磁性体量を検知し検知結果を制御部２に通知する。当該紙葉類Ｐの磁性体量が設定値を超える場合、又は当該紙葉類の所定の箇所に所定の磁性体量が存在しない場合は排除券となる。
【００１９】
処理部５４Ｃ、５４Ｄは、紙葉類Ｐの蛍光検知機能を有しており、紙葉類Ｐの蛍光体量を検知し検知結果を制御部２に通知する。当該紙葉類Ｐの蛍光体が設定値を超える場合、又は当該紙葉類の所定の箇所に所定の蛍光体量が存在しない場合は排除券となる。
【００２０】
処理部５５は、紙葉類Ｐの厚さ検知機能を有しており、紙葉類Ｐの厚さを検知し検知結果を制御部２に通知する。当該紙葉類Ｐの厚さが設定値を超える場合は排除券となる。
【００２１】
処理部５６Ａ、５６Ｂは、テープ貼り検知機能を有しており、紙葉類Ｐに張り付いたテープを検知する。テープ貼りの大きさが設定値以内であれば損券となり、設定値を超える場合は排除券となる。
【００２２】
上記処理部５０乃至処理部５６Ｂの処理の結果、正券は集積部３０、３１に供給され、損券は紙葉類裁断装置６０に供給され、排除券は排除券集積部４０に供給される。
【００２３】
集積部３０は、上記処理部５０乃至処理部５６Ｂの処理の結果正券と判別された紙葉類Ｐの最初の１００枚が集積される。このときは、振り分けゲートＧ２が右に回動され、当該紙葉類Ｐは搬送路２３を搬送されて当該集積部３０に集積される。１００枚の通過と共に、振り分けゲートＧ２を左側に回動し紙葉類が続けて集積されるのを防止すると共に、振り分けゲートＧ３を右側に回動し、続けて搬送される１０１枚以降の正券の紙葉類Ｐを集積部３１に搬送するようにする。上記集積部３０に集積された正券１００枚の紙葉類Ｐは図示しない紙帯で施封される。同様に、集積部３１に集積された正券が１００枚に達すると、振り分けゲートＧ３を左側に回動し、紙葉類が続けて集積されるのを防止すると共に振り分けゲートＧ２を右側に回動し、次の１００枚を集積部３０に集積する。
【００２４】
次に、図２を参照して紙葉類裁断装置６０の構成を説明する。また、図３は送りローラ及びガイド板の詳細図である。紙葉類裁断装置６０は、裁断する紙葉類Ｐを計数する紙葉類計数部６０Ａ、紙葉類Ｐを裁断する紙葉類裁断部６０Ｂで構成される。
【００２５】
紙葉類計数部６０Ａは、紙葉類処理装置１の処理部５０乃至５６Ｂで損券と判別された紙葉類Ｐを計数する機能を有する。この紙葉類計数部６０Ａは、紙葉類処理装置１の処理部で損券と判別されて搬送路２５Ａ（第１の搬送手段）を図示矢印Ａ方向に搬送される紙葉類Ｐを取り込む１対の取り込みローラ６２Ａ１、６２Ａ２、及び取り込まれた紙葉類Ｐを検出し、計数するセンサＳＣ１（計数手段）が配置されている。さらに、紙葉類Ｐの搬送方向を所定角度屈曲する搬送方向屈曲ローラ６３Ｂ（搬送方向屈曲手段）、この搬送方向屈曲ローラによって搬送方向が屈曲された搬送路２５Ｂ（第２の搬送手段）上の紙葉類Ｐを紙葉類裁断部６０Ｂに導く１対のガイド板６４Ａ、６４Ｂ、紙葉類Ｐを紙葉類裁断部６０Ｂに送り出す１対の送りローラ６３Ｄ、６３Ｅ及び本体カバー６１を有して構成される。
【００２６】
紙葉類裁断部６０Ｂは、紙葉類計数部６０Ａの送りローラ６３Ｄ、６３Ｅによって送り出された紙葉類Ｐを裁断する裁断刃６５Ａ（第１の裁断刃）、６５Ｂ（第２の裁断刃）、裁断した裁断片を下側に吹き付けるエアーノズル６６Ａ、６６Ｂ、紙葉類裁断部６６Ｂ内部に空気を取り込むエアー取出口６７、裁断片を図示矢印Ｂ方向に導入する紙葉類裁断部カバー６０Ｃ、及び装置外部から当該裁断片を吸入するための裁断片排出口６０Ｄを有して構成される。
【００２７】
次に、紙葉類裁断装置６０の動作を説明する。紙葉類Ｐは、紙葉類処理装置１の処理速度によって設定された一定速度で１枚づつ、かつ所定の間隔を確保して供給される。供給される紙葉類Ｐは、処理部５０乃至５６Ｂで損券と判別されたものであるため、所定の間隔で連続に供給される場合と間欠に供給される場合がある。
【００２８】
供給された紙葉類Ｐは、取り込みローラ６２Ａ１及び６２Ａ２で挟持されて紙葉類計数部６０Ａに取り込まれる。この取り込まれた紙葉類Ｐは、センサＳＣ１を通過することによって計数される。このセンサＳＣ１を通過した紙葉類Ｐは、搬送方向屈曲ローラによって角度θだけ搬送方向が屈曲されてガイド板６４Ａ、６４Ｂに供給される。ガイド板６４Ａ、６４Ｂに共有された紙葉類Ｐは送りローラ６３Ｄ、６３Ｅに挟持されて紙葉類計数部６０Ａから紙葉類裁断部６０Ｂに排出される。
【００２９】
ここで、搬送方向屈曲ローラ６３Ｂの機能を説明する。センサＳＣ１の搬送路上の検知位置ａ１と、裁断刃６５Ａ、６５Ｂに近いガイド板６４Ａ、６４Ｂの搬送路上の位置ａ２の間に搬送屈曲ローラ６３Ｂが配置されているため、紙葉類裁断部６０Ｂで発生する裁断片の進入によってセンサＳＣ１が遮光され、計数エラーになるのを防止することができる。すなわち、センサＳＣ１の搬送路上の中心位置である検知位置ａ１とガイド板６４Ａ、６４Ｂの搬送路上の中心位置ａ２を結ぶ直線が搬送変換ローラ６３Ｂと交差する程度に屈曲するように上記センサＳＣ１が配置されることによって、紙葉類裁断部６０Ｂで発生する裁断片の進入が搬送変換ローラ６３Ｂに遮られる。この結果、センサＳＣ１が当該裁断片に遮光されて計数エラーになるのを防止することができる。
【００３０】
次に、図３を参照してガイド板６４Ａ、６４Ｂの機能を説明する。図３（Ａ）は紙葉類裁断装置の送りローラ及びガイド板の正面図で、図３（Ｂ）は側面図である。
【００３１】
紙葉類Ｐは、紙葉類計数部６０Ａの搬送路２５Ｂ上を１対の送りローラ６３Ｄ、６３Ｅで挟持されて搬送されるため、例えばガイド板６４Ａ、６４Ｂがない場合、当該紙葉類Ｐの先端が送りローラ６３Ｄ、６３Ｅから放出されるときに、これら送りローラ６３Ｄ、６３Ｅに張り付いて紙詰まりが発生し、紙葉類Ｐの搬送方向の腰が弱い場合には直進しないことがある。従って、上記ガイド板６４Ａ、６４Ｂを配置し、このガイド板６４Ａ、６４Ｂの搬送方向下流側の先端を送りローラ６３Ｄ、６３Ｅの接触面より搬送方向下流側に突出させた構造にすることによって、紙葉類Ｐを送りローラ６３Ｄ、６３Ｅから剥離し、かつ、紙葉類裁断部６０Ｂに直進するように搬送することが可能になる。
【００３２】
次に、紙葉類裁断部６０Ｂの説明を行う。紙葉類Ｐは１対の送りローラ６３Ｄ、６３Ｅから送り出されガイド板６４Ａ、６４Ｂから排出され、紙葉類裁断部６０Ｂに取り込まれる。紙葉類裁断部６０Ｂには上述した裁断刃６５Ａ（第１の裁断刃）、６５Ｂ（第２の裁断刃）が配置されている。裁断刃６５Ａ、６５Ｂは、円周面に突起上の刃を有する円盤状刃が中心軸のシャフトに複数枚一定間隔で配置されて構成され、裁断刃６５Ａ（第１の裁断刃）を構成する円盤状刃の個々の側面と裁断刃６５Ｂ（第２の裁断刃）を構成する円盤状刃の個々の側面が互いに接触するように噛み合わさって紙葉類Ｐを裁断するシュレッダを構成している。裁断刃６５Ａは図示矢印Ｌで示す方向に回転し、裁断刃６５Ｂは図示矢印Ｒで示す方向に回転する。そして、裁断刃６５Ａと裁断刃６５Ｂが噛み合う箇所に上記紙葉類Ｐが搬送されて裁断される。
【００３３】
このようにして裁断された裁断片（約１．５ｍｍ×１０ｍｍ）、及び裁断刃６５Ａ、６５Ｂに付着した裁断片は、エアーノズル６６Ａ、６６Ｂから吹き付けられたエアーによって下部の裁断片排出口６０Ｄ側に集められる。この際、エアーノズルから吹き付けられたエアーが確実に下部に流れるようにするために、紙葉類裁断部６０Ｂの上部にはエアー吸入口６７Ａが配置されており、上記エアーノズルからのエアーの流れがスムーズになるようにする。すなわち、例えば上記エアー吸入口６７Ａがない場合には、エアーノズルからエアーを裁断片排出口に吹き付けることによってエアーノズルより上部の裁断部内部の圧力が低くなり、この圧力が低下した部分に裁断片が集まろうとするため、裁断片が舞い上がることになる。エアー吸入口６７Ａを防塵用フィルター若しくはメッシュ構造にし、ここからエアーを吸入できる構造にすることによって上記圧力の低下を防ぐことができるため、この巻上がりを防止することができる。
【００３４】
以上述べたように本発明によれば、裁断片の巻上がりを防止し、さらにこの裁断片が紙葉類の枚数を計数するセンサを遮ることを防止できるため、裁断する紙葉類の枚数を正確に計数することができる。さらに、裁断刃をエアーで吹き付けることによって裁断片が裁断刃に付着するのを防止できるため裁断刃が切れにくくなるのを防止できる。
【図面の簡単な説明】
【００３５】
【図１】本発明の実施例による紙葉類裁断装置を搭載した紙葉類処理装置の概略構成図。
【図２】本発明の実施例による紙葉類裁断装置の主要部分を示す正面図。
【図３】本発明の実施例による紙葉類裁断装置のガイド板及び送りローラ図。
【符号の説明】
【００３６】
１  紙葉類処理装置
１０  供給部
２０、２１、２２、２３、２４、２５、２６  搬送路
３０、３１  集積部
４０  排除券集積部
５０、５１、５２Ａ〜５２Ｂ、５３、５４Ａ〜５４Ｄ、５５、５６Ａ〜５６Ｂ  処理部
６０  紙葉類裁断装置
６０Ａ  紙葉類計数部
６０Ｂ  紙葉類裁断部
６０Ｃ  紙葉類裁断部カバー
６０Ｄ  裁断片排出口
６３Ｂ  搬送方向屈曲ローラ
６３Ｄ、６３Ｅ  送りローラ
６４Ａ、６４Ｂ  ガイド板
６５Ａ、６５Ｂ  裁断刃
６６Ａ、６６Ｂ  エアーノズル
６７  エアー吸入口
【図１】
2005177617.tif 000003
【図２】
2005177617.tif 000004
【図３】
2005177617.tif 000005